(57)【要約】【課題】被印刷物に光透過性を有するものを用いると共に、紫外線乾燥を用いた印刷装置の乾燥装置の乾燥効率を向上する。【解決手段】紫外線硬化性のインキを用いて光透過性を有する被印刷物４に印刷し、この印刷画像を紫外線乾燥機５にて乾燥するようにした印刷装置における乾燥装置において、紫外線乾燥機の対向部に表面を白色にした反射部材を設け、この紫外線乾燥機と反射部材の間に上記被印刷物を走行させるようにした。【選択図】図１
2008087184.tif 000002
【特許請求の範囲】
【請求項１】
紫外線硬化性のインキを用いて光透過性を有する被印刷物に印刷し、この印刷画像を紫外線乾燥機にて乾燥するようにした印刷装置における乾燥装置において、
紫外線乾燥機の対向部に表面を白色にした反射部材を設け、この紫外線乾燥機と反射部材の間に上記被印刷物を走行させるようにした
ことを特徴とする印刷装置における乾燥装置。
【請求項２】
輪転印刷ユニットの圧胴に巻き掛け走行する光透過性を有する被印刷物に、この圧胴に転接するブランケットあるいは版胴にて、紫外線硬化性のインキを用いて印刷し、この被印刷物の印刷画像を紫外線乾燥機にて乾燥するようにした印刷装置における乾燥装置において、
圧胴の周面を白色にし、この圧胴の周面に紫外線乾燥機を対向させた
ことを特徴とする印刷装置における乾燥装置。
【請求項３】
輪転印刷ユニットにて、紫外線硬化性のインキを用いて光透過性を有する被印刷物に印刷し、この印刷画像を紫外線乾燥機にて乾燥するようにした印刷装置における乾燥装置において、
輪転印刷機印刷ユニットの下流側に、表面を白色にした反射板を、これの表面を被印刷物の裏側面に対向するように設置し、この反射板の表面に被印刷物を隔てて対向するようにして紫外線乾燥機を設けた
ことを特徴とする印刷装置における乾燥装置。
【請求項４】
走行する光透過性を有する被印刷物に、紫外線硬化性のインキを用いたインクジェットプリンタにて印刷し、この印刷画像を紫外線乾燥機にて乾燥するようにした印刷装置における乾燥装置において、
紫外線乾燥機の対向部に表面を白色にした反射部材を設け、この紫外線乾燥機と反射部材の間に上記被印刷物を走行させるようにした
ことを特徴とする印刷装置における乾燥装置。
【請求項５】
白色表面を細かな乱反射性状にしたことを特徴とする請求項１，２，３，４のいずれか１項記載の印刷装置における乾燥装置。
【発明の詳細な説明】
【技術分野】
【０００１】
本発明は、オフセット印刷、直刷り印刷、さらにはインクジェットプリンタによる印刷等、紫外線硬化性インキを用いて印刷された光透過性を有する被印刷物上の印刷画像を、紫外線乾燥機を用いて乾燥する印刷装置における乾燥装置に関するものである。
【背景技術】
【０００２】
紫外線乾燥機を用いた乾燥装置にあっては、紫外線硬化型の印刷インキを用いて印刷ユニットにて印刷された長尺の被印刷物の印刷面に、この被印刷物の印刷ユニットの下流側の走行路、例えば圧胴に巻き掛けられている状態、あるいはこの圧胴から外れた位置において紫外線乾燥機から紫外線を照射して、この印刷画像を乾燥するようにしている。
【０００３】
【特許文献１】特開昭５５−１２４６５８号公報
【発明の開示】
【発明が解決しようとする課題】
【０００４】
上記紫外線乾燥機を用いた乾燥装置の場合、被印刷物が一般の印刷用紙や光透過性の無いフィルムである場合には、この被印刷物の表面での紫外線の吸収が良好に行われて、この紫外線によるインキの乾燥が良好に行われるが、被印刷物が透明フィルム等光透過性を有するものである場合には、照射された紫外線がそのまま透過してしまうので、紫外線による乾燥効果は上記した非光透過性の被印刷物に比較して低いという問題があった。そしてこの問題を補うためには、乾燥装置が大容量化、大型化が避けられず、そのために設置スペースの増大、設備コストの増加などの問題が発生してしまっていた。
【０００５】
なお、輪転印刷ユニットの圧胴に巻き掛けられている間において紫外線にて乾燥する場合においては、従来の圧胴の表面はクロームメッキ処理されていて、このクロームメッキ面の紫外線の反射率は４５〜５０％と低いため、上記透明フィルムを透過した紫外線の大部分が、この圧胴の表面にて吸収されて反射されず、透明フィルムを透過した紫外線は無駄になっている。
【０００６】
本発明は上記のことに鑑みなされたもので、紫外線乾燥機を用いた乾燥装置において、被印刷物を透過した紫外線を有効に活用でき、光透過性の高いフィルム等の被印刷物であっても、これの印刷面の紫外線による乾燥を効率よく行うことができるようにした印刷装置における乾燥装置を提供することを目的とするものである。
【課題を解決するための手段】
【０００７】
上記目的を達成するために、請求項１に記載の発明は、紫外線硬化性のインキを用いて光透過性を有する被印刷物に印刷し、この印刷画像を紫外線乾燥機にて乾燥するようにした印刷装置における乾燥装置において、紫外線乾燥機の対向部に表面を白色にした反射部材を設け、この紫外線乾燥機と反射部材の間に上記被印刷物を走行させるようにした構成になっている。
【０００８】
また、請求項２に記載の発明は、輪転印刷ユニットの圧胴に巻き掛け走行する光透過性を有する被印刷物に、この圧胴に転接するブランケットあるいは版胴にて、紫外線硬化性のインキを用いて印刷し、この被印刷物の印刷画像を紫外線乾燥機にて乾燥するようにした印刷装置における乾燥装置において、圧胴の周面を白色にし、この圧胴の周面に紫外線乾燥機を対向させた構成になっている。
【０００９】
また、請求項３に記載の発明は、輪転印刷ユニットにて、紫外線硬化性のインキを用いて光透過性を有する被印刷物に印刷し、この印刷画像を紫外線乾燥機にて乾燥するようにした印刷装置における乾燥装置において、輪転印刷ユニットの下流側に、表面を白色にした反射板を、これの表面を被印刷物の裏側面に対向するように設置し、この反射板の表面に被印刷物を隔てて対向するようにして紫外線乾燥機を設けた構成になっている。
【００１０】
また、請求項４に記載の発明は、走行する光透過性を有する被印刷物に、紫外線硬化性のインキを用いたインクジェットプリンタにて印刷し、この印刷画像を紫外線乾燥機にて乾燥するようにした印刷装置における乾燥装置において、紫外線乾燥機の対向部に表面を白色にした反射部材を設け、この紫外線乾燥機と反射部材の間に上記被印刷物を走行させるようにした構成になっている。
【００１１】
そして上記各発明の装置において、白色表面を細かな乱反射性状にした。
【発明の効果】
【００１２】
上記した請求項１に記載の発明によれば、紫外線乾燥機から照射される被印刷物を透過した紫外線は、被印刷物の裏側に位置される反射部材の白色面にて極めて高い反射率で反射して被印刷物の裏側から照射されることにより、紫外線硬化性インキにて印刷された光透過性を有する被印刷物の印刷画像の紫外線乾燥機による乾燥を効率よく行うことができる。
【００１３】
そしてこのことにより、乾燥作用の容量アップに伴う設置スペースの増大による装置の大型化を防止でき、さらに紫外線乾燥機の設備費の増加や消費電力の増加を抑えることができる。
【００１４】
そして特に、請求項２に記載の発明では、本発明を輪転印刷機に適用したときに、装置構成を特に変更することなく、圧胴の表面処理の変更だけで上記の作用効果を奏することができる。
【００１５】
また請求項３に記載の発明では、請求項３の発明と同様に、輪転印刷機において被印刷物の走行路の裏側に簡単な反射板を、紫外線乾燥機と対向させて設けるだけであることにより、上記した発明の作用効果を奏することができる。
【００１６】
また、本発明をインクジェットプリンタを用いた印刷装置に適用した場合においても、上記各発明と同様の作用効果を奏することができ、インクジェットプリンタにて印刷された画像を効率よく乾燥することができる。
【００１７】
そしてさらに、請求項５に記載の発明では、上記反射部材、圧胴及び反射板の白色にした表面を乱反射性状にしたことにより、被印刷物を透過してこれらの表面に照射された紫外線は、乱反射して再び被印刷物に照射されることにより、被印刷物に対して均等な乾燥効果を得ることができる。
【発明を実施するための最良の形態】
【００１８】
図１はオフセット型の印刷装置の印刷ユニット部を示すもので、図中１は圧胴、２はブランケット胴、３は版胴で、長尺の被印刷物４が圧胴１とブランケット胴２の間を通ることにより、版胴３からブランケット胴２に転写された画像が、被印刷物４上に印刷されるようになっている。このときの印刷ユニット部にての印刷には、紫外線硬化性を有するインキが用いられており、また被印刷物４には光透過性を有する透明フィルムが用いられている。
【実施例１】
【００１９】
この実施例１では、圧胴１のブランケット胴２との転接点、すなわち印刷点より下流側に紫外線乾燥機５が対向されていて、この紫外線乾燥機５から照射される紫外線にて、上記印刷点にて印刷された印刷画像が乾燥されるようになっている。上記紫外線乾燥機５は、照射方向へ向けた反射鏡６の内側に紫外線ランプ７を設置した公知のものが用いられている。
【００２０】
そして上記圧胴１の周面は、表面処理にて白色にしてある。
【００２１】
しかして印刷ユニット部にて印刷された被印刷物４の画像は、紫外線乾燥機５から照射される紫外線にて乾燥される。
【００２２】
このときにおいて、紫外線乾燥機５からの紫外線は、被印刷物４の幅方向全面に照射されて、この直射紫外線にて被印刷物４の印刷画像は１次的に乾燥される。そして上記被印刷物４は、光透過性を有する透明フィルムであることにより、上記直射紫外線はこの印刷物を透過し、圧胴１の白色面にて反射し、この反射紫外線は被印刷物４の裏面へ照射し、この反射紫外線にて被印刷物４の印刷画像が２次乾燥される。
【００２３】
このときの圧胴１の周面は白色になっていることにより、この表面に照射された透過紫外線は１００％近く反射されて、この反射紫外線は被印刷物４の印刷画像の２次乾燥に効率よく使われ、紫外線乾燥機５による乾燥効率が向上される。
【実施例２】
【００２４】
実施例２にあっては、上記した実施例１における印刷ユニットと同様の印刷ユニットにおいて、圧胴１より被印刷物４の走行方向下流側で、圧胴１の直ぐ下流側の位置に、紫外線乾燥機５を印刷面に直角に対向するように配置する。また、この紫外線乾燥機５に被印刷物４を介して対向する位置に、この被印刷物４と表面が平行となるようにして反射板８が設けてある。そしてこの反射板８の表面は、表面処理にて白色にしてある。
【００２５】
しかしてこの実施例２においても、上記実施例１におけるものと同様に、印刷ユニット部にて印刷された被印刷物４の印刷画像は、紫外線乾燥機５から照射される紫外線にて乾燥される。
【００２６】
このときにおいて、紫外線乾燥機５から照射されて被印刷物４の画像インキを１次乾燥して透過した紫外線は反射板８にて反射されて、被印刷物４の裏側面に再び照射されて、ここで上記画像インキを２次乾燥する。
【００２７】
上記両実施例にあっては、印刷ユニット部にオフセット印刷型の例を示したが、これは圧胴１に版胴３を転接して凸印刷する直刷型であってもよいことはいうまでもない。
【００２８】
図３、図４は本発明の実施例３及び実施例４を示すもので、ガイドローラ９にてガイドされて走行する被印刷物４に、紫外線硬化性のインキを用いたインクジェットプリンターの印字ヘッド１０にて印刷（印字）する印刷装置において、この装置にて印刷された画像を紫外線乾燥機５にて乾燥するようにした乾燥装置の例を示す。
【実施例３】
【００２９】
そして図３に示すものは、紫外線乾燥機５がガイドローラ９の図面に対向されていて、このガイドローラ９の周面上において被印刷物４の印刷画像を乾燥する構成となっており、このガイドローラ９の周面が上記実施例１における圧胴１と同様に表面処理にて白色にしてある。
【実施例４】
【００３０】
また図４に示すものは、紫外線乾燥機５は被印刷物４の走行路において対向するように設けられ、走行路において被印刷物４の印刷画像を乾燥する構成となっており、この紫外線乾燥機５に被印刷物４を介して対向する位置に、被印刷物４と表面が平行となるようにして表面を白色にした反射板８が設けてある。
【００３１】
この実施例３，４において、図３に示した実施例３のものは上記実施例１と、また図４に示した実施例４のものは上記実施例２とそれぞれ同様の作用にて被印刷物４の印刷画像が乾燥される。
【００３２】
上記した各実施例における白色表面は、艶消し、梨地等、細かな乱反射性状になっている。
【００３３】
また、上記各実施例において、各白色表面を白色にするための表面処理としては、白色系のセラミック溶射、二酸化チタン、アルミナのコーティング、白色合成ゴムの貼り付け等の手段にて行われる。なお、これら以外の材料及び手段を用いてもよいことはもちろんである。また反射板８にあっては、この表面が被印刷物４と摺擦しないことにより、白色の塗料を用いてもよい。
【００３４】
また、紫外線の反射面に用いた白色とは、ＪＩＳで規定されている白色度８５％以上の白色タンカルが理想的であるが、白色度６５％位までの白色でもよい。
【図面の簡単な説明】
【００３５】
【図１】本発明の実施例１を示す説明図である。
【図２】本発明の実施例２を示す説明図である。
【図３】本発明の実施例３を示す説明図である。
【図４】本発明の実施例４を示す説明図である。
【符号の説明】
【００３６】
１…圧胴、２…ブラケット胴、３…版胴、４…被印刷物、５…紫外線乾燥機、６…反射鏡、７…紫外線ランプ、８…反射板、９…ガイドローラ、１０…印字ヘッド。
【図１】
2008087184.tif 000003
【図２】
2008087184.tif 000004
【図３】
2008087184.tif 000005
【図４】
2008087184.tif 000006